(57)【特許請求の範囲】
【請求項１】
粉末敷き装置台座と粉末敷き装置台座との間の粉末敷き装置フレームを含み、前記粉末敷き装置フレームの間に粉末貯蔵倉が設けられる粉末敷き装置であって、
前記粉末貯蔵倉の下方には、上層スタッガード粉末撒き口と下層粉末押圧板粉末撒き口とを含む二層粉末撒き口が設けられ、
前記上層スタッガード粉末撒き口は、互いに交差するように配置される左側粉末撒き板と右側粉末撒き板とを含み、両者が底部位置に縦方向のピッチが調整可能である水平スタッガード口を形成し、振動装置が前記左側粉末撒き板または前記右側粉末撒き板の側に設けられ、粉末敷き作業の際に、粉末が前記水平スタッガード口から流出し、下方の前記下層粉末押圧板粉末撒き口に入るものであり、
前記下層粉末押圧板粉末撒き口は、左右両側の粉末押圧板を含み、両側の前記粉末押圧板の間には、幅が調整可能である縦方向の粉末排出口が設けられ、両側の前記粉末押圧板が前記粉末敷き装置フレームの下方の両側に設けられる支持部材を介して前記粉末敷き装置フレームに固定接続されることを特徴とする粉末敷き装置。
【請求項２】
さらに、前記粉末敷き装置の側面に位置する双方向の粉末敷き機構を含み、
前記双方向の粉末敷き機構は、シリンダ支持台を介して前記粉末敷き装置フレームに固定接続され、前記シリンダ支持台にはシリンダが固定配置され、前記シリンダのピストンロッドが前記粉末敷き装置台座に固定配置される縦方向の支持ロッドにヒンジ連結され、作動状態で、前記シリンダの伸縮によって、前記粉末敷き装置フレームを一定の範囲内で揺動させることを特徴とする請求項１に記載の粉末敷き装置。
【請求項３】
両側の前記粉末押圧板と両側の前記支持部材との間には、いずれもＬ型の粉末受け板が設けられ、両前記Ｌ型の粉末受け板が略漏斗形として配置され、前記上層スタッガード粉末撒き口から流出した粉末を前記下層粉末押圧板粉末撒き口に導くために用いられることを特徴とする請求項１に記載の粉末敷き装置。
【請求項４】
前記左側粉末撒き板または前記右側粉末撒き板の外側にはさらに調節機構が固定配置され、前記調節機構が前記粉末敷き装置フレームに接続され、前記調節機構は前記左側粉末撒き板または前記右側粉末撒き板の縦方向位置を調整し得て、前記水平スタッガード口の縦方向のピッチが調整可能になることを特徴とする請求項１に記載の粉末敷き装置。
【請求項５】
前記調節機構は、調節台座を介して前記粉末敷き装置フレームに固定接続され、前記調節台座には、前記左側粉末撒き板または前記右側粉末撒き板の傾斜方向と一致する調節スクリュロッドが設けられ、前記調節スクリュロッドには、その軸方向に沿って摺動する調節ブロックが設けられ、前記調節ブロックには支持板金が設けられ、前記左側粉末撒き板または前記右側粉末撒き板が前記支持板金に設けられ、作動状態で、前記調節スクリュロッドを回すことで、前記左側粉末撒き板または前記右側粉末撒き板の縦方向位置を調節することを特徴とする請求項４に記載の粉末敷き装置。
【請求項６】
前記調節機構は、固定支持部材を介して前記粉末敷き装置フレームに固定接続され、前記固定支持部材には固定板が固定配置され、前記固定板には前記左側粉末撒き板または前記右側粉末撒き板が設けられ、前記左側粉末撒き板または前記右側粉末撒き板には長円穴が設けられ、前記長円穴を介して縦方向で調整可能であるように前記固定板に接続されることを特徴とする請求項４に記載の粉末敷き装置。
【請求項７】
前記振動装置は、前記粉末敷き装置フレームに設けられる駆動モーター、及び互いに係合する振動軸と偏心スリーブを含み、前記駆動モーターが前記振動軸に接続され、前記偏心スリーブの外側にはさらに第１連結ロッドユニットが固定配置され、前記第１連結ロッドユニットは、前記偏心スリーブの外側に固定配置される第１連結ロッドと、それにヒンジ連結される第２連結ロッドとを含み、前記第２連結ロッドにはさらに第３連結ロッドが固定配置され、前記第３連結ロッドには前記左側粉末撒き板または前記右側粉末撒き板が固定配置され、前記第３連結ロッドが第１連結ロッドの固定台にヒンジ連結され、前記第１連結ロッドの固定台が前記粉末敷き装置フレームに固定接続され、前記第３連結ロッドと前記第１連結ロッドの固定台とのヒンジ連結点と、前記第１連結ロッドと前記第２連結ロッドとのヒンジ連結点とを接続する接続線と、第３連結ロッドと左側粉末撒き板または前記右側粉末撒き板との接続面とが、夾角をなすことを特徴とする請求項１〜６のいずれかの１項に記載の粉末敷き装置。
【請求項８】
前記左側粉末撒き板と前記右側粉末撒き板とがいずれも前記振動装置に固定接続されることを特徴とする請求項１〜６のいずれかの１項に記載の粉末敷き装置。
【請求項９】
前記振動装置は、前記粉末敷き装置フレームに設けられる駆動モーター、及び互いに係合する振動軸と偏心スリーブを含み、前記駆動モーターが前記振動軸に接続され、前記偏心スリーブの外側にはさらに第１連結ロッドユニットが固定配置され、前記第１連結ロッドユニットは、前記偏心スリーブの外側に固定配置される第１連結ロッドと、それにヒンジ連結される第２連結ロッドとを含み、前記第２連結ロッドにはさらに第３連結ロッドが固定配置され、前記第３連結ロッドが両辺接続座に固定接続され、前記両辺接続座の他側には第２連結ロッドユニットが固定接続され、前記第２連結ロッドユニットには固定接続された第４連結ロッドと第５連結ロッドとが含まれ、前記第５連結ロッドが第２連結ロッドの固定台にヒンジ連結され、前記第２連結ロッドの固定台が前記粉末敷き装置フレームに固定接続され、前記左側粉末撒き板と前記右側粉末撒き板とがそれぞれ前記第３連結ロッドと前記第４連結ロッドとの内側に固定配置され、前記第１連結ロッドと前記第２連結ロッドとのヒンジ連結点と、前記第５連結ロッドと第２連結ロッドの固定台とのヒンジ連結点とを接続する接続線と、前記第４連結ロッドの内側面とが夾角をなすことを特徴とする請求項８に記載の粉末敷き装置。
【請求項１０】
前記粉末敷き装置フレームの上方には、さらに、粉末敷き装置内に粉末を搬送するための搬送機構が分離するように配置され、前記搬送機構の長さが前記粉末敷き装置フレームの長さに一致し、作動状態で、前記粉末敷き装置フレームが前記搬送機構の下方まで運動し、または前記搬送機構が前記粉末敷き装置フレームの上方まで運動すると、前記搬送機構は積載される粒子状の物質を前記粉末敷き装置フレームにおける前記粉末貯蔵倉に落とすことを特徴とする請求項１に記載の粉末敷き装置。
【請求項１１】
前記搬送機構は、搬送モーターと、螺旋搬送ロッドと、タイミングベルトと、粉末運搬タンクと、粉末補充口とを含み、前記螺旋搬送ロッドが前記粉末運搬タンクの長軸方向に沿って配置され、前記搬送モーターが前記タイミングベルトを介して前記螺旋搬送ロッドに接続され、前記粉末運搬タンクには長軸方向に沿って粉末補充口が設けられ、前記粉末運搬タンクが前記粉末補充口を介して積載される粒子状の物質を前記粉末敷き装置フレームにおける前記粉末貯蔵倉に落とすことを特徴とする請求項１０に記載の粉末敷き装置。
【請求項１２】
前記搬送機構は、さらに封じ込みストリップと、前記封じ込みストリップを移動させるように駆動する封じ込みストリップ駆動装置とを含み、前記封じ込みストリップが前記粉末補充口に一致し、且つ前記粉末補充口の閉塞のために用いられ、前記封じ込みストリップ駆動装置は、前記粉末補充口を閉じてまたは開放するように前記封じ込みストリップを駆動することを特徴とする請求項１１に記載の粉末敷き装置。
【請求項１３】
前記封じ込みストリップ駆動装置は、駆動シリンダと、揺動ロッドと、揺動アームとを含み、前記揺動アームが前記封じ込みストリップの両端に設けられ、前記揺動ロッドが前記揺動アームに固定接続され、前記駆動シリンダが前記揺動ロッドを揺動させるように駆動し、即ち前記封じ込みストリップを揺動させることを特徴とする請求項１２に記載の粉末敷き装置。
【請求項１４】
両前記粉末押圧板の粉末敷き面に対向する端面は斜面であることを特徴とする請求項３に記載の粉末敷き装置。
【請求項１５】
両前記粉末押圧板の斜面と粉末敷き面との間の角度である事前貯蔵角は、０〜５度であることを特徴とする請求項１４に記載の粉末敷き装置。
【請求項１６】
前記粉末押圧板には、さらに圧密面が設けられ、前記圧密面が前記斜面の下流方向に配置されることを特徴とする請求項１４に記載の粉末敷き装置。
【請求項１７】
平面視で見て、前記圧密面の粉末敷き面での投影の長さは、５ｍｍ以上且つ８０ｍｍ以下であることを特徴とする請求項１６に記載の粉末敷き装置。
【請求項１８】
前記粉末押圧板と前記Ｌ型の粉末受け板との間には前記Ｌ型の粉末受け板の配置を便利にするための接続板が配置されており、前記粉末押圧板は、前記接続板において、互いに向かって移動する自由度を有することを特徴とする請求項１４に記載の粉末敷き装置。
【請求項１９】
前記粉末押圧板の、前記接続板と接触する面、且つ前記縦方向の粉末排出口に向く角は、一定の角度を有する面取りとして配置されることを特徴とする請求項１８に記載の粉末敷き装置。
【請求項２０】
前記螺旋搬送ロッドの外側には、さらにフィルターカートリッジが設けられ、前記フィルターカートリッジに配置される通孔の孔径が素材のメッシュ数によって決定されることを特徴とする請求項１４に記載の粉末敷き装置。
【請求項２１】
前記螺旋搬送ロッドの外側には、さらに単一開口回転ドラムが設けられ、前記単一開口回転ドラムの開口箇所には、網状、または開閉可能な弧形板として配置されるバッフルが設けられることを特徴とする請求項１４に記載の粉末敷き装置。
【発明の詳細な説明】
【技術分野】
【０００１】
本出願は、２０１８年８月２９日に中国専利局へ提出され、出願番号が２０１８１０９８４６７９.０であり、発明の名称が「追加材料製造機器用の材料舗装装置」である中国特許出願の優先権を主張して、その全ての内容は援用されることで本出願に組み込まれる。
［技術分野］
本発明は、３Ｄプリントの技術分野に関し、特に粉末敷き装置に関わる。
【背景技術】
【０００２】
現在、３Ｄプリンタに適用される通常の粉末敷き装置には、概ね二つがある。一つは、単方向の粉末敷き装置であり、プリント効率が低い。もう一つは、双方向の粉末敷き装置であり、双方向の粉末敷きを実現し、効率を倍に向上させるが、一般的には二つの粉末撒き口が設けられ、双方向の粉末敷きの過程において二つの粉末撒き口がそれぞれ作動し、構成が複雑で占有空間が大きい。従来の粉末敷き装置は、一般的に粉末撒き量の可制御性が悪く、粉末が撒かれなかったり、粉末が漏れたり、粉末撒きが不均一になるなど一連の問題が存在するため、プリント品質にさらに深刻な影響を与えている。
【発明の概要】
【０００３】
本発明の実施例は、二層粉末撒き口を備え、特に上層が交差する粉末撒き口であり、使用する際に、粉末の流動性が優れて、粉末が漏れず、下層の粉末押圧板粉末撒き口に合わせて、双方向の粉末敷きを実現するものであり、粉末撒き量の可制御性が優れて、粉末が漏れたり、粉末が撒かれなかったり、または粉末撒き量が不均一になるなどの状況が存在しない粉末敷き装置を提供する。
【０００４】
本出願の実施例は、粉末敷き装置を提供するものであり、粉末敷き装置台座と粉末敷き装置台座の間の粉末敷き装置フレームとを含み、前記粉末敷き装置フレームの間には粉末貯蔵倉が設けられ、前記粉末貯蔵倉の下方には、それぞれ上層スタッガード粉末撒き口と下層粉末押圧板粉末撒き口である二層粉末撒き口が設けられ、前記上層スタッガード粉末撒き口は互いに交差するように配置される左側粉末撒き板と右側粉末撒き板とを含み、両者が底部位置に縦方向のピッチが調整可能である水平スタッガード口を形成し、振動装置が前記左側粉末撒き板または前記右側粉末撒き板の側に設けられ、粉末敷き作業の際に、粉末が前記スタッガード口から流出し、下方の前記下層粉末押圧板粉末撒き口に入って、前記下層粉末押圧板粉末撒き口が左右両側の粉末押圧板を含み、両側の前記粉末押圧板の間には、幅が調整可能である縦方向の粉末排出口が設けられ、両側の前記粉末押圧板が前記粉末敷き装置フレームの下方の両側に設けられる支持部材を介して前記粉末敷き装置フレームに固定接続される。
【０００５】
好ましくは、粉末敷き装置の側面に位置する双方向の粉末敷き機構を含み、前記双方向の粉末敷き機構はシリンダ支持台を介して前記粉末敷き装置フレームに固定接続され、前記シリンダ支持台にはシリンダが固定配置され、前記シリンダのピストンロッドが前記粉末敷き装置台座に固定配置される縦方向の支持ロッドにヒンジ連結され、作動状態で、前記シリンダの伸縮によって、前記粉末敷き装置フレームを一定の範囲内で揺動させる。
【０００６】
好ましくは、両側の前記粉末押圧板と両側の前記支持部材との間にはいずれもＬ型の粉末受け板が設けられ、両前記Ｌ型の粉末受け板が略漏斗形として配置され、前記上層スタッガード粉末撒き口から流出した粉末を前記下層粉末押圧板粉末撒き口に導くために用いられる。
【０００７】
好ましくは、前記左側粉末撒き板または前記右側粉末撒き板の外側にはさらに調節機構が固定配置され、前記調節機構が前記粉末敷き装置フレームに接続され、前記調節機構は前記左側粉末撒き板または前記右側粉末撒き板の縦方向位置を調整し得て、このように、前記水平スタッガード口の縦方向のピッチが調整可能になる。
【０００８】
好ましくは、前記調節機構は調節台座を介して前記粉末敷き装置フレームに固定接続され、前記調節台座には、前記左側粉末撒き板または前記右側粉末撒き板の傾斜方向と一致する調節スクリュロッドが設けられ、前記調節スクリュロッドには、その軸方向に沿って摺動する調節ブロックが設けられ、前記調節ブロックには支持板金が設けられ、前記左側粉末撒き板または前記右側粉末撒き板が前記支持板金に設けられ、作動状態で、前記調節スクリュロッドを回すことで、前記左側粉末撒き板または前記右側粉末撒き板の縦方向位置を調節する。
【０００９】
好ましくは、前記調節機構は固定支持部材を介して前記粉末敷き装置フレームに固定接続され、前記固定支持部材には固定板が固定配置され、前記固定板には前記左側粉末撒き板または前記右側粉末撒き板が設けられ、前記左側粉末撒き板または前記右側粉末撒き板には長円穴が設けられ、前記長円穴を介して縦方向で調整可能であるように前記固定板に接続される。
【００１０】
好ましくは、前記振動装置は、前記粉末敷き装置フレームに設けられる駆動モーター、及び互いに係合する振動軸と偏心スリーブを含み、前記駆動モーターが前記振動軸に接続され、前記偏心スリーブの外側にはさらに第１連結ロッドユニットが固定配置され、前記第１連結ロッドユニットは、前記偏心スリーブの外側に固定配置される第１連結ロッドと、それにヒンジ連結される第２連結ロッドとを含み、前記第２連結ロッドにはさらに第３連結ロッドが固定配置され、前記第３連結ロッドには前記左側粉末撒き板または前記右側粉末撒き板が固定配置され、前記第３連結ロッドが第１連結ロッドの固定台にヒンジ連結され、前記第１連結ロッドの固定台が前記粉末敷き装置フレームに固定接続され、前記第３連結ロッドと前記第１連結ロッドの固定台とのヒンジ連結点と、前記第１連結ロッドと前記第２連結ロッドとのヒンジ連結点とを接続する接続線と、第３連結ロッドと左側粉末撒き板または前記右側粉末撒き板との接続面とが、夾角をなす。
【００１１】
好ましくは、前記左側粉末撒き板と前記右側粉末撒き板とがいずれも前記振動装置に固定接続される。
【００１２】
好ましくは、前記振動装置は、前記粉末敷き装置フレームに設けられる駆動モーター、及び互いに係合する振動軸と偏心スリーブを含み、前記駆動モーターが前記振動軸に接続され、前記偏心スリーブの外側にはさらに第１連結ロッドユニットが固定配置され、前記第１連結ロッドユニットは、前記偏心スリーブの外側に固定配置される第１連結ロッドと、それにヒンジ連結される第２連結ロッドとを含み、前記第２連結ロッドにはさらに第３連結ロッドが固定配置され、前記第３連結ロッドが両辺接続座に固定接続され、前記両辺接続座の他側には第２連結ロッドユニットが固定接続され、前記第２連結ロッドユニットには固定接続された第４連結ロッドと第５連結ロッドとが含まれ、前記第５連結ロッドが第２連結ロッドの固定台にヒンジ連結され、前記第２連結ロッドの固定台が前記粉末敷き装置フレームに固定接続され、前記左側粉末撒き板と前記右側粉末撒き板とがそれぞれ前記第３連結ロッドと前記第４連結ロッドとの内側に固定配置され、前記第１連結ロッドと前記第２連結ロッドとのヒンジ連結点と、前記第５連結ロッドと第２連結ロッドの固定台とのヒンジ連結点とを接続する接続線と、前記第４連結ロッドの内側面とが夾角をなす。
【００１３】
好ましくは、前記粉末敷き装置フレームの上方にはさらに、粉末敷き装置内に粉末を搬送するための搬送機構が分離するように配置され、前記搬送機構の長さが前記粉末敷き装置フレームの長さに一致し、作動状態で、前記粉末敷き装置フレームが前記搬送機構の下方まで運動し、または前記搬送機構が前記粉末敷き装置フレームの上方まで運動すると、前記搬送機構は積載される粒子状の物質を前記粉末敷き装置フレームにおける前記粉末貯蔵倉に落とす。
【００１４】
好ましくは、前記搬送機構は搬送モーターと、螺旋搬送ロッドと、タイミングベルトと、粉末運搬タンクとを含み、前記螺旋搬送ロッドが前記粉末運搬タンクの長軸方向に沿って配置され、前記搬送モーターが前記タイミングベルトを介して前記螺旋搬送ロッドに接続され、前記粉末運搬タンクには長軸方向に沿って粉末補充口が設けられ、前記粉末運搬タンクが前記粉末補充口を介して積載される粒子状の物質を前記粉末敷き装置フレームにおける前記粉末貯蔵倉に落とす。
【００１５】
好ましくは、前記搬送機構はさらに封じ込みストリップと、前記封じ込みストリップを移動させるように駆動する封じ込みストリップ駆動装置とを含み、前記封じ込みストリップが前記粉末補充口に一致し、且つ前記粉末補充口の閉塞のために用いられ、前記封じ込みストリップ駆動装置は、前記粉末補充口を閉じてまたは開放するように前記封じ込みストリップを駆動する。
【００１６】
好ましくは、前記封じ込みストリップ駆動装置は駆動シリンダと、揺動ロッドと、揺動アームとを含み、前記揺動アームが前記封じ込みストリップの両端に設けられ、前記揺動ロッドが前記揺動アームに固定接続され、前記駆動シリンダが前記揺動ロッドを揺動させるように駆動し、即ち前記封じ込みストリップを揺動させる。
【００１７】
好ましくは、両前記粉末押圧板の、粉末敷き面に対向する端面は斜面である。
【００１８】
好ましくは、両前記粉末押圧板の斜面と粉末敷き面との間の事前貯蔵角の角度は０〜５度である。
【００１９】
好ましくは、前記粉末押圧板にはさらに圧密面が設けられ、前記圧密面が前記斜面の下流方向に配置される。
【００２０】
好ましくは、前記圧密面の横断面の粉末敷き面における投影の長さは５ｍｍ以上、且つ８０ｍｍ以下である。
【００２１】
好ましくは、前記粉末押圧板は前記接続板において、互いに向かって移動する自由度を有する。
【００２２】
好ましくは、前記粉末押圧板の前記接続板と接触する面、且つ前記縦方向粉末撒き口に向く角は、一定の角度を有する面取りとして配置される。
【００２３】
好ましくは、前記螺旋搬送ロッドの外側にはさらにフィルターカートリッジが設けられ、前記フィルターカートリッジに配置される通孔の孔径が素材のメッシュ数によって決定される。
【００２４】
好ましくは、前記螺旋搬送ロッドの外側には、さらに単一開口回転ドラムが設けられ、前記単一開口回転ドラムの開口箇所には、網状、または開閉可能な弧形板として配置されるバッフルが設けられる。
【発明の効果】
【００２５】
以上の技術案から分かるように、本発明の実施例は以下の利点を有する。即ち、本出願の実施例において、前記粉末貯蔵倉の下方には、それぞれ上層スタッガード粉末撒き口と下層粉末押圧板粉末撒き口である二層粉末撒き口が設けられ、前記上層スタッガード粉末撒き口は互いに交差するように配置される左側粉末撒き板と右側粉末撒き板とを含み、両者が底部位置に水平のスタッガード口を形成し、作動状態で、前記振動装置が前記左側粉末撒き板または前記右側粉末撒き板を振動させることで、粉末は前記スタッガード口から流出し、下方の前記下層粉末押圧板粉末撒き口に入る。上層スタッガード粉末撒き口が非作動の状態で粉末を落とさず、粉末敷き装置の粉末量の損失を明らかに減少させ、プリンタの内部の残粉末の積上を招かず、プリント効果を明らかに向上させる。振動する際にスタッガード粉末撒き口の粉末が落ちて流出するので、粉末の落ちがより均一になり、粉末の落ちの断層現象が存在していなく、プリントの連続性と流暢性を保証する。交差するように配置された左側粉末撒き板と右側粉末撒き板との傾斜配置によって、粉末の流動性がより優れており、粉末が撒かれないことを回避できる。
【００２６】
同時に、前記水平スタッガード口の調整可能な縦方向のピッチは、粉末撒き量を便利に制御し得る。
【００２７】
上層スタッガード粉末撒き口の下方にはさらに、左右両側の粉末押圧板を有する前記下層粉末押圧板粉末撒き口が設けられ、両側の前記粉末押圧板の間には、幅が調整可能である縦方向の粉末排出口が設けられ、粉末撒き量に対する制御をさらに便利にする。
【００２８】
作動状態で、上層スタッガード粉末撒き口から落ちた粉末が下層の粉末落ち口の側壁に当て、下層の粉末撒き口から流出し、全体の過程は緩衝し、停滞し、そして混合するという過程を経て、粉末撒き量の波形変化がより小さくなり、粉末撒き量がより均一になる。
【００２９】
さらに、前記振動装置は、前記粉末敷き装置フレームに設けられる駆動モーター、及び互いに係合する振動軸と偏心スリーブを含み、前記駆動モーターが前記振動軸に接続され、前記偏心スリーブの外側にはさらに第１連結ロッドユニットが固定配置され、前記第１連結ロッドユニットは、前記偏心スリーブの外側に固定配置される第１連結ロッドと、それにヒンジ連結される第２連結ロッドとを含み、前記第２連結ロッドにはさらに第３連結ロッドが固定配置され、前記第３連結ロッドには前記左側粉末撒き板または前記右側粉末撒き板が固定配置され、前記第３連結ロッドが第１連結ロッドの固定台にヒンジ連結され、前記第１連結ロッドの固定台が前記粉末敷き装置フレームに固定接続され、前記第３連結ロッドと前記第１連結ロッドの固定台とのヒンジ連結点と、前記第１連結ロッドと前記第２連結ロッドとのヒンジ連結点とを接続する接続線と、第３連結ロッドと左側粉末撒き板または前記右側粉末撒き板との接続面とが、夾角をなす。
【００３０】
前記振動装置は前記第１連結ロッドユニットを介して前記左側粉末撒き板または前記右側粉末撒き板に接続され、前記第１連結ロッドユニットの間がヒンジ連結という方式で、振動を線形状のオフセットに変換するから、全体の粉末撒き板の同期性がより優れて、さらに粉末撒き量がより均一になる。
【図面の簡単な説明】
【００３１】
【図１】本発明により提供された第１の具体的な実施形態の粉末敷き装置の概略斜視図である。
【図２】図１の二層粉末撒き口の部分拡大図である。
【図３】図１の粉末敷き装置の左側面図である。
【図４】図１の調節機構が設けられる側の概略斜視図である。
【図５】図４の調節機構の部分拡大図である。
【図６】図１の振動装置が設けられる側の概略斜視図である。
【図７】図６の振動装置と第１連結ロッドユニットとの部分拡大図である。
【図８】図１の粉末敷き装置の断面図である。
【図９】第２の調節機構を有する粉末敷き装置の断面図である。
【図１０】双方向振動方式を有する粉末敷き装置の断面図である。
【図１１】本発明により提供された具体的な実施例において分離して設置される搬送機構の立体構造を示す概略斜視図である。
【図１２】図１１の断面図である。
【図１３】図１１の搬送機構と粉末敷き装置との作動状態図である。
【図１４】他の具体的な実施形態の粉末押圧板の部分拡大断面図である。
【図１５】単一開口回転ドラムの構成模式図である。
【図１６】単一開口回転ドラムのバッフルが開放される際の構成模式図である。
【発明を実施するための形態】
【００３２】
本発明の実施例は粉末敷き装置を提供するものであり、二層の粉末撒き口を有し、特に上層が互い違いの粉末撒き口であり、使用時に粉末の流動性が優れて、粉末が漏れず、下層粉末押圧板粉末撒き口に合わせて、双方向の粉末敷きを実現するものであって、粉末撒き量の可制御性が優れて、粉末が漏れたり、粉末が撒かれなかったり、または砂粉末撒き量が不均一になるなどの状況が存在しない。
【００３３】
当業者がよりよく本発明の方案を理解するために、以下、本発明の実施例の添付図面を参照して、本発明の実施例の技術案は、明確かつ完全に説明される。記載された実施例は本発明の一部の実施例のみであり、全ての実施例ではない。本発明の実施例に基づき、創造的な努力なしに当業者によって取得される他の全ての実施例は、いずれも本発明の保護範囲に含まれるべきである。
【００３４】
理解を容易にするために、以下、図１〜１６を参照して、本出願の粉末敷き装置を記載する。本出願の実施例の粉末敷き装置は、粉末敷き装置台座５０１とその間に位置する粉末敷き装置フレーム５０２とを含み、粉末敷き装置台座５０１は粉末敷き装置フレーム５０２に対する支持のために用いられるから、一般的には粉末敷き装置フレーム５０２の両側にはそれぞれ一つが配置される。
【００３５】
粉末敷き装置フレーム５０２内には、粉末貯蔵倉が設けられ、前記粉末貯蔵倉の下方には、それぞれ上層スタッガード粉末撒き口と下層粉末押圧板粉末撒き口である二層粉末撒き口が設けられる。
【００３６】
前記上層スタッガード粉末撒き口は、互いに交差するように配置される左側粉末撒き板３０７と右側粉末撒き板４０１とを含み、両者が底部位置に水平のスタッガード口を形成する。或いは、左側粉末撒き板３０７の底部が上にあってもよく、または右側粉末撒き板４０１の底部が上にあってもよい。
【００３７】
必要がある場合に、前記上層スタッガード粉末撒き口はジグザグの回転状であり、即ち、少なくとも二つの左側粉末撒き板と少なくとも二つの右側粉末撒き板が、ジグザグのスタッガード口を形成する。
【００３８】
前記水平スタッガード口の縦方向のピッチが調整可能であり、即ち、上層スタッガード粉末撒き口の粉末撒き量の大きさが制御可能であり、具体的な調節方式は多種があり、以下に詳しく記載している。
【００３９】
左側粉末撒き板３０７または右側粉末撒き板４０１の側の外には振動装置が設けられ、前記振動装置によって粉末が前記スタッガード口から流出し、下方の前記下層粉末押圧板粉末撒き口に入る。
【００４０】
スタッガード粉末撒き口の配置によって、粉末敷き装置が非作動状態で、上層粉末撒き口から粉末を落とすことがなく、さらに粉末敷き装置が粉末敷き作業をしていない際に、粉末が漏れることがなく、不必要な粉末の消耗を減少させ、プリンタの粉末漏れによる内部の残粉末の積上を招くことなく、プリント効果を明らかに向上させる。スタッガード粉末撒き口は、粉末敷き作業の際のみに粉末を落とし、スタッガード粉末撒き口箇所にある粉末が、一定の角度に積上されるから、粉末敷き装置が粉末敷き運動を開始する際に、積上角が静的な積上角から動的な積上角に変えて、粉末の流しを開始する。このような方式により、粉末の落ちがより均一になり、粉末の落ちの断層現象が存在せず、プリントの連続性と流暢性を保証する。同時に、左側粉末撒き板と右側粉末撒き板との傾斜配置によって、粉末の流動性がより優れており、粉末が撒かれないことを避ける。また、前記スタッガード口の調整可能な縦方向ピッチによって、粉末撒き量を便利に制御し得る。
【００４１】
前記下層粉末押圧板粉末撒き口は、左右両側に配置される粉末押圧板５０５を含み、両側の粉末押圧板５０５の間には縦方向の粉末排出口、即ち垂直方向の粉末排出口が設けられ、粉末が最終的に、該粉末排出口から流出する。両側の粉末押圧板５０５は粉末敷き装置フレーム５０２の下方の両側に設けられる支持部材５０３を介して粉末敷き装置フレーム５０２に固定接続され、即ち、一側の粉末押圧板５０５が一側の支持部材５０３を介して粉末敷き装置フレーム５０２に固定接続される。粉末敷き装置の長さ方向の距離が大きいから、支持部材５０３は必要に応じて複数で、且つ両側が対称となるように配置されてもよく、支持部材５０３の具体的な形状は限定されていない。
【００４２】
また、粉末の排出量をさらに便利に調整するために、本粉末敷き装置における前記縦方向粉末撒き口の幅が、調整可能になるように配置され、具体的には、支持部材５０３と粉末敷き装置フレーム５０２との間の一定の水平範囲内の可動接続を介して実現され、または粉末押圧板５０５と支持部材５０３との間の調整可能な接続を介して実現される。
【００４３】
前記二層粉末撒き口を有する粉末敷き装置は、作動状態で、上層スタッガード粉末撒き口から落ちた粉末が下層の粉末落ち口の側壁に当て、下層の粉末撒き口から流出し、全体の過程は緩衝し、停滞し、そして混合するという過程を経て、振動による粉末撒き量の波形変化がより小さくなり、粉末撒き量がより均一になる。
【００４４】
前記粉末敷き装置に基づき、双方向の粉末敷き機構を追加配置してもよく、それは粉末敷き装置の側面に位置し、一般的には粉末敷き装置の両側に、それぞれ一つの同方向の双方向の粉末敷き機構を配置する。前記双方向の粉末敷き機構はシリンダ支持台２０１を介して粉末敷き装置フレーム５０２に固定接続され、シリンダ支持台２０１にはシリンダ２０２が固定配置され、シリンダ２０２のピストンロッドが、粉末敷き装置台座５０１に固定配置される縦方向支持ロッド２０５にヒンジ連結され、縦方向支持ロッド２０５の上端が粉末敷き装置フレーム５０２に接触していなくてもよいが、摺動するように接触してもよい。作動状態で、シリンダ２０２の伸縮は、粉末敷き装置フレーム５０２を一定の範囲内に揺動させ、この際、両側の粉末押圧板５０５の底面の外側には揺動を便利にする丸角、面取りまたは直角が設けられてもよく、該丸角は、粉末押圧板５０５が揺動過程で、外角と粉末敷き装置台座５０１の底部平面とが干渉を形成することを避ける。また、縦方向支持ロッド２０５は縦方向支持ロッドの台座２０３を介して粉末敷き装置台座５０１に固定接続される。
【００４５】
前記双方向の粉末敷き機構を使用する際に、異なる種類の粉末に応じて、異なるシリンダストロークを調整し、粉末敷き装置フレームを異なる範囲の角度内で揺動させ、該双方向の粉末敷き機構は二層粉末撒き口に合わせると、双方向の粉末敷きの効果を実現する。そして、粉末流しを制御しまたは粉末流しを停止し、粉末敷き作業の際の均一な粉末撒きを実現し、粉末が撒かれない状況が存在せず、粉末敷き作業をしない際に粉末が漏れていない。
【００４６】
具体的には、上層スタッガード粉末撒き口のスタッガード口の向きが粉末敷き方向と反対の場合、粉末がスタッガード粉末撒き口から自然に流れ、単方向の粉末敷きを実現する。逆方向の粉末敷きを行う際に、両者の方向が同じである場合に、双方向の粉末敷き機構によって、スタッガード粉末撒き口の全体を傾斜させると、粉末がスタッガード粉末撒き口から自然に流れ、双方向の粉末敷きを実現する。
【００４７】
従来の技術において、二つの粉末撒き口を配置することで双方向の粉末敷きを実現することに比べると、前記粉末敷き装置は、双方向の粉末敷き機構に合わせる一つの粉末撒き口を配置するだけで、双方向の粉末敷きを実現しつつ、占有空間がより小さくなっている。
【００４８】
同時に、双方向の粉末敷き機構の配置によって、粉末敷き装置の使用過程で、粉末押圧板５０５が粉末敷き装置フレーム５０２とともに揺動することで、一定の傾斜角度を有するから、粉末押圧の効果がよりよくなる。
【００４９】
一つの改良として、両粉末押圧板５０５と両支持部材５０３との間にＬ型の粉末受け板を配置し、両前記Ｌ型の粉末受け板が略漏斗形として配置され、具体的には、両粉末押圧板５０５の内側に寄る上方に設けられ、該前記Ｌ型の粉末受け板は主に、前記上層スタッガード粉末撒き口から流出した粉末を前記下層粉末押圧板粉末撒き口に導くために用いられる。同時に、Ｌ型の粉末受け板の配置によって、粉末押圧板５０５の全体の水平配置に寄与し、粉末押圧の効果を向上させる。
【００５０】
前記Ｌ型の粉末受け板は粉末を導く過程で、上層交差の粉末押圧口から流出した粉末がＬ型の粉末受け板と縦方向粉末撒き口の側壁で、緩衝と整合を経て、縦方向粉末撒き口からの粉末の流出の均一性を保証する。
【００５１】
特に、双方向の粉末敷き機構が設けられる粉末敷き装置の使用過程で、粉末敷き装置フレーム５０２が揺動すると、上層スタッガード粉末撒き口と下層縦方向粉末撒き口とがいずれも元の位置から外れ、粉末が直接的に下層の縦方向粉末撒き口に流入していない可能性がある。このとき、Ｌ型の粉末受け板の作用がより顕著となる。
【００５２】
粉末押圧板５０５とＬ型の粉末受け板との間には、Ｌ型の粉末受け板の配置を便利にするための接続板５０４が追加配置されてもよい。
【００５３】
さらに、Ｌ型の粉末受け板と支持部材５０３との間は、調整可能に接続されるように配置されてもよく、これによって、Ｌ型の粉末受け板により粉末押圧板５０５を調整させ、前記縦方向粉末撒き口の幅が調整可能になる。具体的には、Ｌ型の粉末受け板と支持部材５０３との接続箇所に縦方向の長円穴を配置する。
【００５４】
具体的な実施形態において、前記水平スタッガード口の縦方向のピッチが調整可能であるということは、左側粉末撒き板または前記右側粉末撒き板の一方の外側に調節機構を配置することで実現され、前記調節機構は、前記左側粉末撒き板または前記右側粉末撒き板の一方の縦方向位置を調整し得て、前記水平スタッガード口の縦方向のピッチを調整可能にする。
【００５５】
具体的には、前記調節機構は調節台座４０４を介して前記粉末敷き装置フレーム５０２に固定接続され、調節台座４０４には、左側粉末撒き板３０７または右側粉末撒き板４０１の傾斜方向と一致する調節スクリュロッド４０５が設けられ、調節スクリュロッド４０５には、その軸方向に沿って摺動する調節ブロック４０３が設けられ、調節ブロック４０３には支持板金４０２が設けられ、左側粉末撒き板３０７または右側粉末撒き板４０１が支持板金４０２に設けられる。
【００５６】
初めて装着する場合に、調節ブロック４０３を調節スクリュロッド４０５の最も低い位置に回転させ、そして、その上に支持板金４０２を装着し、左側粉末撒き板３０７または右側粉末撒き板４０１を移動することで、他側の粉末撒き板との間のスリットが均一になり、水平方向のスリットが一致になり、そしてそれを支持板金４０２に固定し、調節機構の装着が完成する。
【００５７】
粉末のタイプを変換する場合に、左側粉末撒き板３０７と右側粉末撒き板４０１との間のスリットを調節しなければならなくて、調節スクリュロッド４０５を回すことで、左側粉末撒き板３０７または右側粉末撒き板４０１の縦方向位置を調節する。調節スクリュロッド４０５の配置によって、全体の調節機構の調節精度がより正確、且つ制御可能になり、そして、回しの巻き数が一致すれば、水平方向で同期の調節を実現し、検出機器によって検出されたと、微調整をすればよく、早く且つ高効率的に調節を行う。
【００５８】
実際に、前記水平スタッガード口の縦方向ピッチを調整しようとすると、左側粉末撒き板３０７または右側粉末撒き板４０１のうちの一方の縦方向位置を調整すればよいから、一般的にはその一方のみで調節機構を配置するが、両方にいずれも調節機構を配置してもよいことを除外していない。
【００５９】
そして、左側粉末撒き板３０７または右側粉末撒き板４０１の長さが大きいから、一般的には、同時に若干の調節機構を配置することで、前記粉末撒き板の全体的な縦方向の位置がより一致し、形成されたスリットの水平方向が一致して、スタッガード粉末撒き口のスリットがより均一になり、水平方向の粉末撒き量が均一になる。
【００６０】
さらに、調節機構の配置方法もある。即ち、前記調節機構は、固定支持部材４０６を介して粉末敷き装置フレーム５０２に固定接続され、固定支持部材４０６には、固定板４０７が固定配置され、左側粉末撒き板３０７または右側粉末撒き板４０１が固定板４０７に設けられ、同時に、左側粉末撒き板３０７または右側粉末撒き板４０１には縦方向の長円穴が設けられ、前記長円穴を介して左側粉末撒き板３０７または右側粉末撒き板４０１と固定板との、縦方向での調整可能な接続を実現する。
【００６１】
具体的な実施形態において、前記粉末敷き装置における前記振動装置は、粉末敷き装置フレーム５０２に設けられる駆動モーター、及び互いに係合する振動軸３０１と偏心スリーブ３０２を含み、前記駆動モーターが振動軸３０１に接続されることで、偏心スリーブ３０２を振動軸３０１の周方向に回転させる。一般的には、前記振動装置は同時に複数が設けられ、且つそれと前記調節機構とがそれぞれ独立に作動し、互いに影響していないから、両者は粉末敷き装置フレーム５０２の同一側、またはその両側に分布されてもよい。
【００６２】
従来の技術において、一般的には、前記振動装置は直接的に左側粉末撒き板３０７または右側粉末撒き板４０１に接続され、振動装置そのものは一定の周波数で振動するが、長軸方向には複数の振動装置が設けられ、且つ各々振動装置が単独に振動することは、非同期の振動を招致する恐れがあり、振動の周波数は直接的に粉末撒き量に関係し、このような長軸方向の振動の周波数の不一致は、粉末撒き量の不均一に繋がる。本発明により提供された粉末敷き装置において、前記振動装置は第１連結ロッドユニットを介して間接的に左側粉末撒き板３０７または右側粉末撒き板４０１に接続される。
【００６３】
具体的には、偏心スリーブ３０２の外側には連結ロッドユニットが設けられ、前記振動装置は前記第１連結ロッドユニットを介して左側粉末撒き板３０７または右側粉末撒き板４０１に接続される。前記第１連結ロッドユニットは、偏心スリーブ３０２の外側に固定配置される第１連結ロッド３０３と、その下端にヒンジ連結される第２連結ロッド３０４とを含み、第２連結ロッド３０４にはさらに第３連結ロッド３０６が固定配置され、第３連結ロッド３０６の上端が第１連結ロッドの固定台３０５にヒンジ連結され、第１連結ロッドの固定台３０５が粉末敷き装置フレーム５０２に固定接続され、同時に、第３連結ロッド３０６には左側粉末撒き板３０７または右側粉末撒き板４０１が固定配置される。
【００６４】
前記第３連結ロッド３０６と前記第１連結ロッドの固定台３０５とのヒンジ連結点と、前記第１連結ロッド３０３と前記第２連結ロッド３０４とのヒンジ連結点とを接続する接続線と、第３連結ロッド３０６と左側粉末撒き板３０７または前記右側粉末撒き板４０１との接続面とが夾角をなし、即ち一つの三角形として囲まれることで、偏心スリーブ３０２によって第２連結ロッド３０４、さらに連動的に第３連結ロッド３０６を揺動させ、第３連結ロッド３０６によって左側粉末撒き板３０７または前記右側粉末撒き板４０１を揺動させる。
【００６５】
前記第３連結ロッド３０６と前記第１連結ロッドの固定台３０５とのヒンジ連結点と、左側粉末撒き板３０７または前記右側粉末撒き板４０１の下端との距離が大きいほど、振幅が大きくなり、振幅が粉末撒き量に正比例し、振動装置の振動の周波数が粉末撒き量に正比例し、偏心スリーブ３０２の偏心量が粉末撒き量に正比例する。よって、振幅、振動の周波数または偏心量を変更することで、いずれも粉末撒き量が変更される。構成設計の振幅が大きすぎるのは好ましくないという原則に基づき、合理的範囲内で、偏心量が大きい偏心スリーブ３０２を採用したり、または振動の周波数を増加させたりする。前記第１連結ロッドユニットはヒンジ連結という原理を利用して、振動を線形状のオフセットに変換し、左側粉末撒き板３０７または右側粉末撒き板４０１を振動装置によって、規律的に運動させるので、粉末撒き板の全体の同期性がより優れて、さらに粉末撒き量がより均一になる。粉末撒き量が増えることは、粉末敷き装置の並進速度を向上させ、プリント効率を向上させる。
【００６６】
一つの改良として、左側粉末撒き板３０７と右側粉末撒き板４０１とは同時に前記振動装置に固定接続され、前記振動装置の構成は前記実施形態の振動装置と同じであってもよく、他の構成の具体的な配置方式は以下の通りである。
【００６７】
第３連結ロッド３０６は両辺接続座３１３に固定接続され、両辺接続座３１３の他側には第２連結ロッドユニットが固定接続され、前記第２連結ロッドユニットには固定接続された第４連結ロッド３１０と第５連結ロッド３１１とが含まれ、両辺接続座３１３が第４連結ロッド３１０を貫通して第５連結ロッド３１１に接続され、第５連結ロッド３１１の上端が第２連結ロッドの固定台３１２にヒンジ連結され、第２連結ロッドの固定台３１２が粉末敷き装置フレーム５０２に固定接続されるとともに、粉末敷き装置フレーム５０２の、前記振動装置に対向する他側に位置し、左側粉末撒き板３０７または右側粉末撒き板４０１がそれぞれ第３連結ロッド３０６と第４連結ロッド３１０との内側に固定配置される。
【００６８】
同時に、前記第１連結ロッド３０３と前記第２連結ロッド３０４とのヒンジ連結点と、前記第５連結ロッド３１１と第２連結ロッドの固定台３１２とのヒンジ連結点とを接続する接続線と、前記第４連結ロッド３１０の内側面とが夾角をなし、即ち一つの三角形として囲まれることで、偏心スリーブ３０２が第３連結ロッド３０６を連動させるように第２連結ロッド３０４を動かすことにより、両辺接続座３１３を介して両側の粉末撒き板をともに揺動させるように連動する。即ち、第２連結ロッド３０４と、第３連結ロッド３０６と、両辺接続座３１３と、第４連結ロッド３１０と第５連結ロッド３１１とが一体として接続されるように揺動される。
【００６９】
第５連結ロッド３１１の上端が第２連結ロッドの固定台３１２にヒンジ連結されるヒンジ連結点と、同一側の粉末撒き板の下端との距離が大きいほど、振幅が大きくなり、即ち、第５連結ロッド３１１の上端が第２連結ロッドの固定台３１２にヒンジ連結されるヒンジ連結点と、第４連結ロッド３１０に固定される粉末撒き板の下端との距離が大きいほど、振幅が大きくなり、振幅が粉末撒き量に正比例し、振動装置の振動周波数が粉末撒き量に正比例し、偏心スリーブ３０２の偏心量が粉末撒き量に正比例する。よって、振幅、振動の周波数または偏心量を変更することで、いずれも粉末撒き量が変更される。構成設計の振幅が大きすぎるのは好ましくないという原則に基づき、合理的範囲内で、偏心量が大きい偏心スリーブ３０２を採用したり、または振動の周波数を増加させたりする。
【００７０】
この際に、第２連結ロッドユニットは両辺接続座３１３を介してヒンジ連結という方式で組み合わせるように第１連結ロッドユニットに接続され、左側粉末撒き板３０７または右側粉末撒き板４０１の側に設けられる振動装置は同時に両側の粉末撒き板をともに規律的に運動させ、振動を線形状のオフセットに変換し、粉末撒き量がより均一になる。
【００７１】
このような、両側の粉末撒き板をともに規律的に運動させるという方式は、実際に粉末敷き装置には双方向の粉末敷き機構が無い場合でも、相変わることなく、双方向の粉末敷きを行うことができる。
【００７２】
一般的には、振動装置をスタッガード粉末撒き口の、下方に位置する粉末撒き板側に配置することが好ましく、このようにすることで、振動の効果と粉末撒きの効果が最も優れるものとなる。
【００７３】
前記粉末敷き装置は、さらに、粉末敷き装置内に粉末を搬送するための、粉末敷き装置フレーム５０２の上方の搬送機構を有してもよく、具体的には、搬送機構と粉末敷き装置フレーム５０２との間は、固定接続されまたは分離されるように配置され、固定接続される場合に、搬送モーターの装着座１０２を介して接続される。
【００７４】
具体的な実施形態において、粉末敷き装置フレーム５０２の上方には、粉末敷き装置内に粉末を搬送するための搬送機構が分離するように設けられ、前記搬送機構の長さが粉末敷き装置フレーム５０２の長さに一致し、作動状態で、粉末敷き装置フレーム５０２が運動して粉末を敷き、粉末敷き装置フレーム５０２が前記搬送機構の下方まで運動し、または前記搬送機構が粉末敷き装置フレーム５０２の上方まで運動すると、前記搬送機構は積載される粒子状の物質を前記粉末敷き装置フレーム５０２における前記粉末貯蔵倉に落とす。
【００７５】
搬送機構はさらに、搬送モーター１０３と、螺旋搬送ロッド１０５と、タイミングベルト１０１と、粉末運搬タンク１０６と、粉末補充口１１２とを含み、螺旋搬送ロッド１０５が粉末運搬タンク１０６の長軸方向に沿って配置され、搬送モーター１０３がタイミングベルト１０１を介して螺旋搬送ロッド１０５に接続され、粉末運搬タンク１０６には長軸方向に沿って粉末補充口１１２が設けられ、粉末運搬タンク１０６が粉末補充口１１２を介して積載される粒子状の物質を粉末敷き装置フレーム５０２における前記粉末貯蔵倉に落とす。粉末補充口１１２が上部に設けられ、粉末運搬タンク１０６を傾倒させることで、粒子状の物質が粉末補充口から粉末敷き装置フレーム５０２における前記粉末貯蔵倉に落ちる。
【００７６】
さらに、搬送機構は、封じ込みストリップ１１１と封じ込みストリップ１１１を移動させるように駆動する封じ込みストリップ駆動装置とを含み、封じ込みストリップ１１１が粉末補充口１１２にマッチし、粉末補充口１１２の閉塞のために用いられ、前記封じ込みストリップ駆動装置が前記粉末補充口１１２を閉じてまたは開放させるように封じ込みストリップ１１１を駆動する。
【００７７】
前記封じ込みストリップ駆動装置は、駆動シリンダ１０７と、揺動ロッド１０８と、揺動アーム１０９とを含み、揺動アーム１０９が封じ込みストリップ１１１の両端に設けられ、揺動ロッド１０８が揺動アーム１０９に固定接続され、駆動シリンダ１０７が揺動ロッド１０８を揺動させるように駆動させ、即ち、封じ込みストリップ１１１を揺動させる。
【００７８】
このような搬送機構を粉末敷き装置フレームから分離することは、螺旋搬送ロッド１０５が粉末貯蔵倉における粉末に圧力を付与することを避け、さらに、粉末敷き部分に対する圧力の影響を避け、粉末敷きの効果に対する影響を避けると同時に、粉末敷き装置の粉末敷き部分の本体重量を軽減し、粉末敷き装置の粉末敷き部分の速度をさらに向上させる。
【００７９】
具体的な実施形態において、さらに粉末押圧板５０５の粉末敷き面に対向する端面は斜面として配置されてもよい。前記斜面の傾角が前記縦方向の粉末撒き口に向いており、前記斜面と粉末敷き面との間に形成された夾角が、事前貯蔵角５０５１になり、粉末敷き作業が開始する際に、落ちた素材が事前貯蔵角５０５１に集め、粉末敷き装置が材料舗装を開始する際に、発生する恐れがある初期セグメントの材料が薄くて、または材料切れという問題を避ける。
【００８０】
前記斜面が付いた粉末押圧板５０５は、双方向の粉末敷き機構がない条件で、粉末敷き装置が全体で傾斜するように材料舗装をしなければならないという問題を解決する。粉末押圧板５０５と材料舗装面との間の事前貯蔵角の大きさは、素材の粒度によって決定されることで、全体で粉末敷き装置を調整することによって、粉末押圧板５０５と材料舗装面との角度を正確に制御し得ないという問題を効果的に解決する。
【００８１】
前記事前貯蔵角５０５１の角度は、素材、材料落ち量及び材料舗装層の厚さによって決定され、好ましくは、前記事前貯蔵角５０５１は０度〜５度の間の傾角である。具体的な操作において、前記事前貯蔵角５０５１の大きさについて、素材のメッシュ数ｎ、素材の角度係数Ｅ、材料落ち量（材料落ち口の幅ｄによって体現される）及び材料舗装層の厚さｈを考慮しなければならなくて、例えば５０＜ｎ＜１００、Ｅ＜０.０２、１.５ｍｍ＜ｄ＜２.５ｍｍ、０.４ｍｍ＜ｈ＜０.４４ｍｍである場合に、事前貯蔵角３０３の角度ｉが０.１度であり、また、例えば７０＜ｎ＜１００、Ｅ＜０.０２、１.５ｍｍ＜ｄ＜２.５ｍｍ、０.３４ｍｍ＜ｈ＜０.４ｍｍである場合に、事前貯蔵角５０５１の角度ｉが０.３度である。
【００８２】
素材の角度係数Ｅが大きく、素材の単粒形状が不規則で、且つメッシュ数が小さい場合に、粉末敷き面の平坦と圧密を保証するために、前記事前貯蔵角５０５１の角度を大きくすることで、粉末押圧板５０５の斜面と粉末押圧板５０５の圧密面との遷移丸角によって、前記角度係数が大きく、形状が不規則である素材を平らかに剃って、反対に、小さい事前貯蔵角５０５１を採用することで、必要以上の剃りを避ける。
【００８３】
粉末押圧板５０５の粉末敷き面に対する圧密機能を実現するために、斜面の末端または粉末敷き面と接触する一端には、一定幅の水平面が配置されなければならない。すなわち、粉末押圧板５０５は、圧密のための圧密面と呼ばれる一定の平面を有し、前記圧密面の横断面の粉末敷き面における投影の長さは５ｍｍ〜８０ｍｍであり、十分な圧力効果を保証する。
【００８４】
一つの改良として、粉末押圧板５０５が摺動可能に接続板５０４に設けられ、即ち粉末押圧板５０５が接続板５０４において互いに向かって移動の自由度を有し、対称となるように分布される二つの粉末押圧板５０５が対向に移動し、縦方向の粉末撒き口の幅を小さくするという目的を実現し、粉末撒き量に対する制御を実現する。
【００８５】
素材の順調な投下のために、粉末押圧板５０５における接続板５０４との接触面、且つ縦方向の粉末撒き口に向く角を３０度〜４５度の面取りとしてもよい。
【００８６】
具体的な実施形態において、螺旋搬送ロッド１０５の外側には、さらにフィルターカートリッジ（図示せず）が設けられる。前記フィルターカートリッジが螺旋搬送ロッド１０５の外周に包まれるとともに同軸にあり、前記フィルターカートリッジの、粉末敷き装置の材料供給口に対応する位置で、材料経過口を開設することで、素材が材料供給口と材料経過口を介してフィルターカートリッジに入って、フィルターカートリッジの螺旋搬送ロッド１０５を介して、素材を一端から他端に搬送し、該過程で、素材が前記フィルターカートリッジを介してその下方に位置する上層スタッガード粉末撒き口内に入って、前記フィルターカートリッジは、螺旋搬送ロッド１０５による素材に伝達された運動エネルギーをなくしまたは緩めて、前記素材が最小の運動エネルギーで上層スタッガード粉末撒き口内に入って、このように、素材が付いたエネルギーによる材料舗装の不均一を避ける。
【００８７】
前記フィルターカートリッジにおける孔の孔径の大きさは、素材のメッシュによって決定される。具体的には、２００メッシュ数の素材を採用して製造する場合に、前記フィルターカートリッジの孔径が０.７ｍｍ〜２ｍｍである。
【００８８】
前記フィルターカートリッジをさらに、単一開口回転ドラム６０１に交換してもよく（図１２〜１３を参照）、螺旋搬送ロッド１０５の外周に包まれるとともに同軸にあり、作動原理は前記フィルターカートリッジと同じである。単一開口回転ドラム６０１の開口箇所にはさらに網状または開閉可能な弧形板として配置されるバッフル６０２が設けられてもよい。
【００８９】
本明細書の各実施例は漸進的に記載され、各実施例は他の実施例との相違点を重点的に説明し、各々の実施例は同一または類似の部分について相互に参照される。
【００９０】
以上のように、上記実施例は、本発明の技術案を説明するために用いられるものであって、それに限定されるものではない。以上の実施例を参照して本発明を詳しく説明したが、当業者が理解するように、以上の各々実施例に記載の技術案を修正し、またはその一部の技術的特徴に対して等価の置き換えを行ってもよく、これらの修正または置き換えは、本発明の各々実施例の技術案の精神及び範囲から対応する技術案の本質を逸脱しない。
【図１】
0006954712.tif 000002
【図２】
0006954712.tif 000003
【図３】
0006954712.tif 000004
【図４】
0006954712.tif 000005
【図５】
0006954712.tif 000006
【図６】
0006954712.tif 000007
【図７】
0006954712.tif 000008
【図８】
0006954712.tif 000009
【図９】
0006954712.tif 000010
【図１０】
0006954712.tif 000011
【図１１】
0006954712.tif 000012
【図１２】
0006954712.tif 000013
【図１３】
0006954712.tif 000014
【図１４】
0006954712.tif 000015
【図１５】
0006954712.tif 000016
【図１６】
0006954712.tif 000017